(57)【要約】【課題】  簡単な構造のオーバーフロー機能を備えたコーナードレインおよびストレーナを提供する。【解決手段】  筒状部の開口部上方における側板部に筒状部の他端側に膨出する凹部を形成することにより、コーナードレインにオーバーフロー機能を備えさせた。また、平板状のストレーナの上部を一方側に膨出する膨出部とすることにより、コーナードレイン用のストレーナにオーバーフロー機能を備えさせた。また、筒状部における排水入口側の開口部に、開口部の上部が露出する大きさのストレーナを装着することにより、ストレーナを備えたコーナードレインにオーバーフロー機能を備えさせた。【選択図】  図１
2006118199.tif 000002
【特許請求の範囲】
【請求項１】
屋外の床から立ち上がる側壁の下部に、側壁を貫通して設けられるコーナードレインにおいて、上記側壁をほぼ水平に貫通して配置される筒状部と、筒状部の一端側外方に一体に形成され上記側壁に配置される側板部とを少なくとも備えるとともに、筒状部の一端側開口部の上方における側板部に筒状部の他端側に膨出する凹部を形成して、筒状部の一端側開口部にその開口部に対応した大きさのストレーナが装着されたとき、ストレーナの上方と上記凹部との間に筒状部の内部に連通する連通路が形成されるようにしたことを特徴とするオーバーフロー機能を備えたコーナードレイン。
【請求項２】
屋外の床から立ち上がる側壁の下部に、側壁を貫通して設けられるコーナードレインにおける排水入口側に設けられるストレーナにおいて、排水入口側の開口部をほぼ覆う大きさで平板状に形成するとともに、上部を一方側に膨出する膨出部としたことを特徴とするオーバーフロー機能を備えたストレーナ。
【請求項３】
屋外の床から立ち上がる側壁の下部に、側壁を貫通して設けられ、排水入口側にストレーナを備えたコーナードレインにおいて、上記側壁をほぼ水平に貫通して配設される筒状部における排水入口側の開口部に、開口部の上部が露出する大きさのストレーナを装着したことを特徴とするオーバーフロー機能を備えたコーナードレイン。
【発明の詳細な説明】
【技術分野】
【０００１】
本発明は、建物のベランダ、バルコニー、屋上、陸屋根など、屋外の床から立ち上がる側壁の下部に設置されるオーバーフロー機能を備えたコーナードレインおよびストレーナに関するものである。
【背景技術】
【０００２】
従来、屋外の床から立ち上がる側壁の下部に、側壁を貫通して設けられるオーバーフロー機能を備えたコーナードレインとして、本願発明者が提案した図９に示すものがある（たとえば、特許文献１参照）。
【０００３】
図９において、コーナードレイン４１は、樹脂で成型されたものであり、屋外にあるベランダの床５０上に配置される底板部４２と、底板部４２の後縁から直立した側板部４３と、側板部４３に開口４６ａを有して設けられる横排水路４６と、開口４６ａよりも高い位置の側板部４３に開口４７ａを有して設けられるオーバーフロー水路４７を備えている。横排水路４６とオーバーフロー水路４７は、横向きで先細の一体管４４内に形成されている。これらの横排水路４６とオーバーフロー水路４７は一体管４４と一体で平板上の仕切体４５で区画されている。仕切体４５の前部下部には突起５２が垂設されている。この突起５２は底板部４２からの高さｈ１が一体管４４先端における横排水路４６の内側高さｈ２よりも小さくなる縦寸法に設定されている。これにより、ボールやゴミなどが開口４６ａから入っても横排水路４６の先端で詰まったりしない。
【０００４】
かかるコーナードレイン４１は、ベランダの床５０と側壁５１とが交叉するコーナー部４８に設置され、側壁５１に水平に穿設された貫通孔４９に一体管４４が挿通された状態で釘などにより仮止めされる。そして、底板部４２および側壁部４３の周縁をＦＲＰ防水層で被覆工事されている。
【特許文献１】特開２００２−３８６６５号  公報
【発明の開示】
【発明が解決しようとする課題】
【０００５】
従来のオーバーフロー機能を備えたコーナードレインにおいても、通常のドレインと、オーバーフロー用のドレインとの２種設けるものに比し、仕切体を設けた一体管としたので、コーナードレインの設置工事を簡単にすることができるが、仕切体を設けた一体管であるため、その構造が複雑である問題があった。
【０００６】
本発明は、このような従来の構成が有していた問題を解決しようとするものであり、簡単な構造でオーバーフロー機能を備えたコーナードレインおよびストレーナとすることを目的とするものである。
【課題を解決するための手段】
【０００７】
請求項１に係る本発明は、上記目的を達成するために、屋外の床から立ち上がる側壁の下部に、側壁を貫通して設けられるコーナードレインにおいて、上記側壁をほぼ水平に貫通して配置される筒状部と、筒状部の一端側外方に一体に形成され上記側壁に配置される側板部とを少なくとも備えるとともに、筒状部の一端側開口部の上方における側板部に筒状部の他端側に膨出する凹部を形成して、筒状部の一端側開口部にその開口部に対応した大きさのストレーナが装着されたとき、ストレーナの上方と上記凹部との間に筒状部の内部に連通する連通路が形成されるようにしたオーバーフロー機能を備えたコーナードレインとしたものである。
【０００８】
請求項２に係る本発明は、上記目的を達成するために、屋外の床から立ち上がる側壁の下部に、側壁を貫通して設けられるコーナードレインにおける排水入口側に設けられるストレーナにおいて、排水入口側の開口部をほぼ覆う大きさで平板状に形成するとともに、上部を一方側に膨出する膨出部としたオーバーフロー機能を備えたストレーナとしたものである。
【０００９】
請求項３に係る本発明は、上記目的を達成するために、屋外の床から立ち上がる側壁の下部に、側壁を貫通して設けられ、排水入口側にストレーナを備えたコーナードレインにおいて、上記側壁をほぼ水平に貫通して配設される筒状部における排水入口側の開口部に、開口部の上部が露出する大きさのストレーナを装着したオーバーフロー機能を備えたコーナードレインとしたものである。
【００１０】
上記請求項１に係る本発明による作用は、通常の排水路と、凹部によるオーバーフロー用の排水路を形成して、通常の排水路が落ち葉やゴミなどで目詰まりしたときオーバーフロー用の排水路を機能させるようにしたものである。
【００１１】
上記請求項２に係る本発明による作用は、落ち葉やゴミなどでストレーナが目詰まりしたときストレーナ上部に設けた膨出部がオーバーフロー用の排水口の機能をするものである。
【００１２】
上記請求項３に係る本発明による作用は、落ち葉やゴミなどでストレーナが目詰まりしたとき筒状部における排水入口側の開口部の上部がオーバーフロー用の排水口の機能をするものである。
【発明の効果】
【００１３】
請求項１に係る本発明は、以上のように構成されているので、筒状部の一端側開口部の上方における側板部に筒状部の他端側に膨出する凹部を形成するという簡単な構造で、コーナードレインにオーバーフロー機能を備えさせることができるという効果を有する。
【００１４】
請求項２に係る本発明は、以上のように構成されているので、平板状のストレーナの上部を一方側に膨出する膨出部としたという簡単な構造で、コーナードレイン用のストレーナにオーバーフロー機能を備えさせることができるという効果を有する。
【００１５】
請求項３に係る本発明は、以上のように構成されているので、筒状部における排水入口側の開口部に、開口部の上部が露出する大きさのストレーナを装着するという簡単な構造で、ストレーナを備えたコーナードレインにオーバーフロー機能を備えさせることができるという効果を有する。
【発明を実施するための最良の形態】
【００１６】
以下、本発明の実施の形態を図１〜８図に基づいて説明する。図１および図２は、本発明の請求項１に係る第１の実施形態を示し、図１は斜視図、図２はストレーナを装着した状態でのコーナードレインの拡大部分垂直断面図である。図において、１はコーナードレインで、建物のベランダ、バルコニー、屋上、陸屋根などの屋外の床１１から立ち上がる側壁１２の下部に、側壁１２を貫通して設けられるものである。
【００１７】
コーナードレイン１は、上記側壁１２を貫通して設けられた貫通孔１２ａに配置される筒状部２と、筒状部２の一端側外方に一体に形成された側板部３と、側板部３にほぼ直角に折れ曲がった底板部４とを備えており、たとえばポリエステル樹脂とガラス繊維からなるＦＲＰで一体成型している。
【００１８】
筒状部２は、断面略円形で、側板部３側から他端部にかけて先細状にし、筒状部２の排水入口側となる一端側開口部５側の下方入口部周辺は上記底板部４に連続する水平面状５ａとしている。筒状部２の一端側開口部５の上方における側板部３には、筒状部２の他端側に膨出する正面視三日月状の凹部６を形成している。
【００１９】
上記凹部６は、筒状部２の一端側開口部５にその開口部５に対応した大きさのストレーナ１３を装着したとき、図２に示すように、ストレーナ１３の上方と上記凹部６との間に筒状部２の内部に連通する連通路６ａを形成するようにしたものである。そして、この連通路６ａは、ストレーナ１３が落ち葉やゴミで詰まって排水が悪くなり、床１１に水が溜まってきて水位が上昇したときのオーバーフロー用の排水路となり、コーナードレイン１以外のところから漏水することを防ぐオーバーフロー機能を有するものである。
【００２０】
ストレーナ１３は、図１に示すように、８個の長孔１３ｂが放射状に設けられた円形平板状部１３ａと、円形平板状部１３ａの中央にスポット溶接で固定された４本の弾力性のある板状脚部１３ｃとを備え、ステンレススチール製である。円形平板状部１３ａは、高さ方向の大きさを上記一端側開口部５の高さ方向の大きさとほぼ同じに、横方向の大きさを一端側開口部５の横方向の大きさよりもやや大きく形成し、底部を上記筒状部２の一端側開口部５側の下方入口部に合致するように円弧ではなく直線状１３ｄとしている。
【００２１】
ストレーナ１３を一端側開口部５に装着するには、板状脚部１３ｃの先端側の開きを絞って、上記筒状部６の一端側開口部５から挿入し、図２に示すように、円形平板状部１３ａの水平方向周縁が一端側開口部５の水平方向周縁における側板部３に当った状態で、板状脚部１３ｃの弾力により固定するのである。
【００２２】
コーナードレイン１を側壁１２の下部に設けた貫通孔１２ａに設けるには、図１に示すように、貫通孔１２ａの入口部に凹部６に合致する凹部１２ｂを設け、コーナードレイン１を貫通孔１２ａに挿通して、たとえばプライマー処理、ポリエステル樹脂塗布、ガラス繊維シートの敷き詰めおよび乾燥処理によりＦＲＰ防水層を形成するなどの従来公知の手段により行うのである。
【００２３】
なお、この実施態様では、コーナードレイン１は、底板部４を備えているが、無くても良く、無い場合には、側板部３の下端縁の防水処理を入念に行えば良い。また、筒状部２は断面略円形としたが、断面矩形でも、断面多角形でも、断面楕円でも良い。
【００２４】
つぎに、本発明の請求項２に係る第２の実施形態を図３および図４に基づいて説明する。図３は、斜視図、図４はコーナードレインに装着した状態でのストレーナの拡大部分垂直断面図である。この第２の実施形態は、第１の実施形態におけるコーナードレイン１の側板部３に設けられていた凹部６が無く、ストレーナ１３の上部形状が異なっている。以下、第１の実施形態と同様な構成については簡単に説明し、異なる構成について詳細に説明する。
【００２５】
図３および図４において、コーナードレイン１は、側壁１２を貫通して設けられた貫通孔１２ａに配置される筒状部２と、筒状部２の一端側外方に一体に形成された側板部３と、側板部３にほぼ直角に折れ曲がった底板部４とを備えており、たとえばポリエステル樹脂とガラス繊維からなるＦＲＰで一体成型している。筒状部２は、断面略円形で、側板部３側から他端部にかけて先細状にし、筒状部２の排水入口側となる一端側開口部５側の下方入口部周辺は上記底板部４に連続する水平面状５ａとしている。
【００２６】
ストレーナ１３は、図３に示すように、８個の長孔１３ｂが放射状に設けられた円形平板状部１３ａと、円形平板状部１３ａの中央にスポット溶接で固定された４本の弾力性のある板状脚部１３ｃとを備え、ステンレススチール製である。
【００２７】
円形平板状部１３ａは、その上部を、板状脚部１３ｃの反対側となる一方側に膨出する膨出部１３ｅとするとともに、高さ方向の大きさを上記一端側開口部５の高さ方向の大きさとほぼ同じに、横方向の大きさを一端側開口部５の横方向の大きさよりもやや大きく形成し、底部を上記一端側開口部５側の下方入口部に合致するように円弧ではなく直線状１３ｄとして、一端側開口部５をほぼ覆う大きさに形成している。
【００２８】
上記膨出部１３ｅはオーバーフロー機能を備えている。すなわち、膨出部１３ｅと一端側開口部５との間に、図４に示すように、オーバーフロー用の排水口１３ｆが形成され、ストレーナ１３が落ち葉やゴミで詰まって排水が悪くなり、床１１に水が溜まってきて水位が上昇したとき、オーバーフロー用の排水口１３ｆがオーバーフロー用の排水入口となり、コーナードレイン１以外のところから漏水することを防ぐのである。
【００２９】
ストレーナ１３を筒状部２の排水入口側となる一端側開口部５に装着するには、板状脚部１３ｃの先端側の開きを絞って、上記筒状部２の一端側開口部５から挿入し、図４に示すように、円形平板状部１３ａの水平方向周縁が一端側開口部５の水平方向周縁における側板部３に当った状態で、板状脚部１３ｃの弾力により固定するのである。
【００３０】
コーナードレイン１を側壁１２の下部に設けた貫通孔１２ａに設けるには、コーナードレイン１を貫通孔１２ａに挿通して、たとえばプライマー処理、ポリエステル樹脂塗布、ガラス繊維シートの敷き詰めおよび乾燥処理によりＦＲＰ防水層を形成するなどの従来公知の手段により行うのである。なお、コーナードレイン１は、側壁部３および底板部４を備えているが、両方とも無くても良く、底板部４が無く側壁部３のみでも良い。両方とも無い場合は一端側開口部５の周縁の防水を、底板部４がない場合は側板部３の下端縁の防水を、入念に行えば良い。
【００３１】
また、ストレーナ１３は円形平板状部１３ａの場合について説明したが、筒状部６の断面に合わせて、矩形平板状、多角形平板状、楕円平板状などとするのであり、材質についても合成樹脂でも良い。また、ストレーナ１３は平板状部１３ａに長孔１３ｂを設けて形成したが、線材で網状に形成しても良い。さらに、一端側開口部５への装着については、板状脚部１３ｃに替えて適宜の固定手段で固定しても良い。
【００３２】
つぎに、本発明の請求項３に係る第３の実施形態を図５および図６に基づいて説明する。図５は斜視図、図６はストレーナを備えたコーナードレインの拡大部分垂直断面図である。この第３の実施形態は、第２の実施形態とはコーナードレインの筒状部およびストレーナの構成が異なっている。以下、第２の実施形態と同様な構成については簡単に説明し、異なる構成について詳細に説明する。
【００３３】
図５および図６において、コーナードレイン１は、側壁１２を貫通して設けられた貫通孔１２ａに配置される筒状部２と、筒状部２の一端側外方に一体に形成された側板部３と、側板部３にほぼ直角に折れ曲がった底板部４とを備えており、たとえばポリエステル樹脂とガラス繊維からなるＦＲＰで一体成型している。筒状部２は、高さ方向が幅方向よりも大きな断面略楕円形で、側板部３側から他端部にかけて先細状にし、筒状部２の排水入口側となる一端側開口部５側の下方入口部周辺は上記底板部４に連続する水平面状５ａとしている。
【００３４】
ストレーナ２３は、図５に示すように、上下方向に平行な辺を有し左右方向に円弧を有する横長状平板状部２３ａに８個の長孔２３ｂを放射状に設け、横長状平板状部２３ａの中央にスポット溶接で固定された４本の弾力性のある板状脚部２３ｃとを備え、ステンレススチール製である。
【００３５】
横長状平板状部２３ａは、高さ方向の大きさを筒状部２における一端側開口部５の高さ方向の大きさよりも小さく形成するとともに、横方向の大きさを一端側開口部５の横方向の大きさよりもやや大きく形成し、底部を上記一端側開口部５側の下方入口部に合致するように円弧ではなく直線状２３ｄに形成している。
【００３６】
ストレーナ２３の横長状平板状部２３ａと一端側開口部５との寸法関係を上記のように形成して、図６に示すように、一端側開口部５の上部５ｂが露出した状態で、ストレーナ２３を一端側開口部５に装着している。ストレーナ２３で覆われないで露出状態の上部５ｂはオーバーフロー機能を備えている。すなわち、ストレーナ２３が落ち葉やゴミで詰まって排水が悪くなり、床１１に水が溜まってきて水位が上昇したとき、一端側開口部５の上部５ｂがオーバーフロー用の排水入口となり、コーナードレイン１以外のところから漏水することを防ぐのである。
【００３７】
ストレーナ２３を筒状部２の排水入口側となる一端側開口部５に装着するには、板状脚部２３ｃの先端側の開きを絞って、上記筒状部６の一端側開口部５から挿入し、図６に示すように、横長状平板状部２３ａの円弧状周縁が一端側開口部５の水平方向周縁における側板部３に当った状態で、板状脚部２３ａの弾力により固定するのである。
【００３８】
コーナードレイン１を側壁１２の下部に設けた貫通孔１２ａに設けるには、コーナードレイン１を貫通孔１２ａに挿通して、たとえばプライマー処理、ポリエステル樹脂塗布、ガラス繊維シートの敷き詰めおよび乾燥処理によりＦＲＰ防水層を形成するなどの従来公知の手段により行うのである。なお、コーナードレイン１は、側壁部３および底板部４を備えているが、両方とも無くても良く、底板部４が無く側壁部３のみでも良い。両方とも無い場合は一端側開口部５の周縁の防水処理を、底板部４がない場合は側板部３の下端縁の防水処理を、入念に行えば良い。
【００３９】
また、ストレーナ２３は左右方向に円弧を有する横長平板状部１３ａの場合について説明したが、矩形平板状、多角形平板状、楕円平板状などとすることもできる。材質についても合成樹脂でも良い。また、ストレーナ２３は平板状部２３ａに長孔２３ｂを設けて形成したが、線材で網状に形成しても良い。さらに、一端側開口部５への装着については、板状脚部２３ｃに替えて適宜の固定手段で固定しても良い。
【００４０】
つぎに、以上説明した第１〜第３の実施形態の変形例について簡単に説明する。図７は、請求項１および請求項２に係る第４の実施形態を示す拡大部分垂直断面図である。この第４の実施形態は、図１および図２に基づいて説明した第１の実施形態におけるコーナードレイン１に、図３および図４に基づいて説明した第２の実施形態におけるストレーナ１３を装着したものである。
【００４１】
この第４の実施形態によれば、凹部６により形成された連通路６ａと、膨出部１３ｅにより形成された排水口１３ｆとは、ストレーナ１３が落ち葉やゴミで詰まって排水が悪くなり、床に水が溜まってきて水位が上昇したとき、ともにオーバーフロー用の排水路となり、オーバーフロー機能が向上するのである。他の構成は第１の実施形態および第２の実施形態と同様であるので説明を省略する。
【００４２】
図８は、請求項３に係る第５の実施形態を示す拡大部分垂直断面図である。この第５の実施形態は、図５および図６に基づいて説明したストレーナ２３の上部に、図３および図４に基づいて説明した第２の実施形態におけるストレーナ１３と同様な膨出部２３ｅを形成したものである。
【００４３】
この第５の実施形態では、ストレーナ２３で覆われないで露出状態の上部５ｂと、膨出部２３ｅにより形成された排水口２３ｆとは、ストレーナ２３が落ち葉やゴミで詰まって排水が悪くなり、床に水が溜まってきて水位が上昇したとき、ともにオーバーフロー用の排水路となり、オーバーフロー機能が向上するのである。他の構成は第３の実施形態と同様であるので説明を省略する。
【図面の簡単な説明】
【００４４】
【図１】本発明の第１の実施形態に係る斜視図である。
【図２】本発明の第１の実施形態に係る拡大部分垂直断面図である。
【図３】本発明の第２の実施形態に係る斜視図である。
【図４】本発明の第２の実施形態に係る拡大部分垂直断面図である。
【図５】本発明の第３の実施形態に係る斜視図である。
【図６】本発明の第３の実施形態に係る拡大部分垂直断面図である。
【図７】本発明の第４の実施形態に係る拡大部分垂直断面図である。
【図８】本発明の第５の実施形態に係る拡大部分垂直断面図である。
【図９】従来のコーナードレインを示す斜視図である。
【符号の説明】
【００４５】
１  コーナードレイン
２  筒状部
３  側板部
５  開口部
５ｂ  上部
６  凹部
６ａ  連通路
１１  床
１２  側壁
１３  ストレーナ
１３ｅ  膨出部
２３  ストレーナ
【図１】
2006118199.tif 000003
【図２】
2006118199.tif 000004
【図３】
2006118199.tif 000005
【図４】
2006118199.tif 000006
【図５】
2006118199.tif 000007
【図６】
2006118199.tif 000008
【図７】
2006118199.tif 000009
【図８】
2006118199.tif 000010
【図９】
2006118199.tif 000011